(57)【要約】【課題】工場等で出荷用の各種調整を行う際に、マイコン間通信のシリアルバスラインに外部調整機器のシリアルバスラインも接続するようにして、マイコン間通信と同一プロトコルで外部調整機器からの調整動作を行うことが可能なデータ調整装置を提供する。【解決手段】外部調整機器２００を制御用サブマイコン１０１とメインマイコン１０３が通信に使うシリアルバスライン１０４に接続し、調整動作時には両マイコンに調整モードであることを通知して、調整コマンドを制御用サブマイコン１０１とメインマイコン１０３に送信し、調整データ確定後には確定コマンドを制御用サブマイコン１０１に送信し、不揮発性メモリ１０２に確定した調整データを書きこむ。【選択図】  図１
2004234173.tif 000002
【特許請求の範囲】
【請求項１】
外部調整機器から各種調整を行うデータ調整装置において、調整データを記憶する記憶手段と、前記記憶手段に前記調整データを出力する第１の制御手段と、前記第１の制御手段を制御する第２の制御手段と、前記第１の制御手段、前記第２の制御手段及び前記外部調整機器を接続する通信手段とを具備し、前記通信手段を介して前記外部調整機器から調整コマンドを受信した場合、前記第２の制御手段は前記第１の制御手段の制御を停止し、かつ前記第１の制御手段は前記外部調整機器からの調整データの取得を開始し、前記通信手段を介して前記外部調整機器から確定コマンドを受信した場合、前記第２の制御手段は前記第１の制御手段の制御を再開し、かつ前記第１の制御手段は前記調整データを前記記憶手段に出力することを特徴とするデータ調整装置。
【発明の詳細な説明】
【０００１】
【発明の属する技術分野】
本発明は、データ調整装置に関し、更に詳しくは、工場等で出荷用の各種調整を行う場合に、工場調整用外部機器（以下、外部調整機器と称す）から各種データの調整を行うことが可能なデータ調整装置に関する。
【０００２】
【従来の技術】
従来のデータ調整装置では、マイクロコンピュータ（以下、マイコンと称す）が制御対象機器の操作エレメントの作動状態を逐次質問走査して、制御対象機器の機能に影響を与える操作部材を制御する技術が公知である（例えば、特許文献１参照）。
【０００３】
上記データ調整装置では、予めメモリに、制御対象機器の生じ得る全部の作動状態に対応して操作部材を制御するプログラムモジュールのスタート情報をテーブルとして記憶する。そして、作動状態が操作部材の設定調整と操作エレメントの作動状態とにより与えられた場合に、当該作動状態とテーブルにおいて実施される作動状態とを比較して対応するスタート情報をテーブルから取得し、１つまたは複数個のプログラムモジュールをスタート情報の利用の下に実施する。
【０００４】
【発明が解決しようとする課題】
しかしながら、上記従来のデータ調整装置は、単一マイコンシステムに関するものであって、複数マイコンシステムに関するものではない。また、工場調整における制御対象機器毎の制御データの調整に関するものでもない。
【０００５】
また、一般的な従来の複数マイコンシステムのデータ調整装置では、マイコン間通信のバスラインと外部調整機器からの調整用制御のバスラインは異なり、複数マイコンそれぞれに調整動作をさせるためには、一方のマイコンに動作を中継させるか、それぞれ別の調整用のバスラインを接続することになり、データ調整装置の接続構成や動作が複雑になるという問題を有していた。
【０００６】
本発明は、上記問題に鑑みて成されたもので、工場等で出荷用の各種調整を行う際に、マイコン間通信のシリアルバスラインに外部調整機器のシリアルバスラインも接続するようにして、マイコン間通信と同一プロトコルで外部調整機器からの調整動作を行うことが可能なデータ調整装置を提供することを目的とする。
【０００７】
【課題を解決するための手段】
本発明の請求項１に係るデータ調整装置は、外部調整機器から各種調整を行うデータ調整装置において、調整データを記憶する記憶手段と、記憶手段に調整データを出力する第１の制御手段と、第１の制御手段を制御する第２の制御手段と、第１の制御手段、第２の制御手段及び外部調整機器を接続する通信手段とを具備し、通信手段を介して外部調整機器から調整コマンドを受信した場合、第２の制御手段は第１の制御手段の制御を停止し、かつ第１の制御手段は外部調整機器からの調整データの取得を開始し、通信手段を介して外部調整機器から確定コマンドを受信した場合、第２の制御手段は第１の制御手段の制御を再開し、かつ第１の制御手段は調整データを記憶手段に出力することを特徴とする。
【０００８】
【発明の実施の形態】
図１に本発明の実施の形態に係るデータ調整装置の構成を示す。データ調整装置１００は、制御対象機器３００を制御する制御用サブマイコン１０１と、制御用サブマイコン１０１の機器制御用データを格納する不揮発性メモリ１０２と、ＧＵＩ制御や全体制御を行うメインマイコン１０３から構成され、シリアルバスライン１０４により、外部調整機器２００と接続されている。そして、外部調整機器２００からシリアルバスライン１０４を介してコマンドを受け取ることにより、制御対象機器３００内部の各種ＩＣ群（図示せず）に調整データを書き込む。
【０００９】
ここで、本実施の形態において、第１の制御手段は制御用サブマイコン１０１に相当し、同様に、第２の制御手段はメインマイコン１０３に、記憶手段は不揮発性メモリ１０２に、通信手段はシリアルバスライン１０４に相当する。
【００１０】
制御対象機器３００の通常動作中は、メインマイコン１０３がシリアルバスライン１０４を介して、制御用サブマイコン１０１が各種ＩＣ群（図示せず）を制御する為のコマンドを制御用サブマイコン１０１に送信する。制御用サブマイコン１０１は、メインマイコン１０３による制御コマンドや、不揮発性メモリ１０２に格納された制御データに基づいて制御対象機器３００を制御する。ここで、制御対象機器３００の通常動作中は、外部調整機器２００はシリアルバスライン１０４には接続されていない。
【００１１】
さて、工場調整などでは、制御対象機器３００の調整データを不揮発性メモリ１０２に書きこむ必要があるが、この場合、調整データは制御対象機器３００の個体差に対応して、ばらつきが無いように設定する必要がある。一般に、前記調整は手動で設定データを変化させながら計測器で状態をモニターし、最適な設定を探し出して、そのときの設定データを不揮発性メモリ１０２に書きこむ。ここで、計測器には、ＣＲＴに当てて明るさを計測する計測器や、画面上の直線の歪みを感知する計測器等がある。
【００１２】
手動で設定データを変化させるにはメインマイコン１０３及び制御用サブマイコン１０１（以下、機器内蔵マイコンと称す）を一切介さずに各ＩＣ群（図示せず）にデータを設定することもできるが、これは機器内蔵マイコンに行わせると効率が良い。また、外部の計測器の計測結果と連動させながら機器内蔵マイコンに設定データを変化させることにより自動調整も可能となる。
【００１３】
自動調整は、機器内蔵マイコンと外部の計測器と連動した外部調整機器２００が通信しながら調整を行うが、本実施例のような複数マイコンで構成させるシステムの場合は、制御用サブマイコン１０１に通信用のバスラインにて外部調整機器２００を接続するが、メインマイコン１０３の制御が調整動作に必要な場合、制御用サブマイコン１０１が制御を中継することになる。または、メインマイコン１０３にも外部調整機器２００との通信バスラインを接続することになる。これは、制御用サブマイコン１０１の調整動作プログラムの複雑化やシステム全体の回路構成の複雑化を招く。
【００１４】
上記のプログラム複雑化やシステム回路の複雑化を回避するためには、制御用サブマイコン１０１は、メインマイコン１０３から受けるコマンドと同様なプロトコルで調整コマンドを、通常時にメインマイコン１０３からコマンドを受け取るバスラインから受け、またメインマイコン１０３は、調整時には制御用サブマイコン１０２の制御を停止し、代わりにそのバスラインから調整コマンドを外部調整機器２００から受けるようにすればよい。
【００１５】
そこで、本発明では、外部調整機器２００を制御用サブマイコン１０１とメインマイコン１０３が通信に使うシリアルバスライン１０４に接続し、調整動作時に両マイコンに調整モードであることを通知して、調整コマンドを制御用サブマイコン１０１とメインマイコン１０３に送信する。また調整データが確定すれば、確定コマンドを制御用サブマイコン１０１に送信し、不揮発性メモリ１０２に確定した調整データを書きこませる。
【００１６】
【発明の効果】
以上のように本発明のデータ調整装置によれば、複数マイコンシステムにおいて、工場などで出荷用の各種調整を行う際に、マイコン間通信のシリアルバスラインに外部調整機器のシリアルバスラインを接続することにより、マイコン間通信と同一プロトコルで調整動作が行うことができ、また両マイコンに関わる調整動作を行う場合（例えば、ＩＩＣの場合のマスタースレーブ切り換え等）には、主マイコンのバスモードを変更して、直接外部調整機器から調整データを受け取れるようにすることで、制御用サブマイコンの調整プログラムの複雑化及びシステム全体の回路の複雑化を回避することができる。
【図面の簡単な説明】
【図１】本発明の一実施例におけるデータ調整装置のブロック構成図
【符号の説明】
１００  データ調整装置
１０１  制御用サブマイコン
１０２  不揮発性メモリ
１０３  メインマイコン
１０４  シリアルバスライン
２００  外部調整機器
３００  制御対象機器
【図１】
2004234173.tif 000003